(57)【要約】【目的】本発明の目的は、振動板の両面にかかる圧力に差が生じることを抑制可能なスピーカを提供すること。【解決手段】この目的を達成するために本発明のスピーカは、マグネット１０と、筐体１１と、プレート１２と、ボイスコイル１３と、振動板１４と、サスペンション２２と、チューブ２３を備える。筐体１１は、マグネット１０を保持するヨーク１６を有する。プレート１２は、マグネット１０の面上に配置されている。ボイスコイル１３は、プレート１２の外周側に形成された磁気空隙に、マグネット１０とプレート１２の配置方向と平行な方向に振動可能に配置されている。振動板１４は、周縁部がボイスコイル１３の端と接合され、プレート１２を覆うように形成されている。サスペンション２２は、振動板１４と筐体１１を接続し、振動板１４を筐体１１に支持する。チューブ２３は、振動板１４を挟むように配置された第１空間４０と第２空間４１の間を連通する。【選択図】図１
2015109542.tif 000002
【特許請求の範囲】
【請求項１】
マグネットと、
前記マグネットを保持するヨークを有する筐体と、
前記マグネットの面上に配置されたプレートと、
前記プレートの外周側に形成された磁気空隙に、前記マグネットと前記プレートの配置方向と平行に振動可能に配置されたボイスコイルと、
周縁部が前記ボイスコイルの端と接合され、前記プレートを覆うように形成された振動板と、
前記振動板と前記筐体を接続し、前記振動板を前記筐体に支持するサスペンションと、
前記振動板を挟むように前記筐体内に形成された第１空間と第２空間の間を連通するベント部を備えた、
スピーカ。
【請求項２】
前記磁気空隙において発生する磁界により前記プレートと前記ボイスコイルの間に保持される磁性流体を備えた、請求項１記載のスピーカ。
【請求項３】
前記ベント部はチューブを有し、
前記チューブにより前記第１空間と前記第２空間が連通される、
請求項２に記載のスピーカ。
【請求項４】
請求項３記載のスピーカと、
前記筐体に取り付けられるポートと、
を備え、
前記ヨークは、
前記マグネットが固定された配置部と、前記マグネット、前記プレート及び前記ボイスコイルの周囲を囲むように前記配置部から形成された側壁部とを有し、
前記スピーカは、前記プレート、前記マグネット及び前記ヨークを貫通して形成され、前記振動板で発生した音を外部へと導く音孔を有し、
前記ポートは、
前記配置部に取り付けられており、
前記音孔と連通し、音を外部へと伝達する伝達路を有し、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記チューブは、前記ポートの内側に配置され、前記外周空間と前記伝達路を連通する、
イヤホン。
【請求項５】
前記サスペンションは、前記振動板の全周にわたって設けられ、
前記第１空間と前記第２空間は、前記振動板と前記サスペンションによって隔てられている、
請求項１記載のスピーカ。
【請求項６】
前記ベント部はチューブを有し、
前記ヨークは、前記マグネットが固定された配置部と、前記マグネット、前記プレート及び前記ボイスコイルの周囲を囲むように前記配置部から形成された側壁部とを有し、
前記筐体は、前記側壁部の端に配置されたヨークカバーを有し、
前記プレート、前記マグネット及び前記ヨークを貫通して形成され、前記振動板で発生した音を外部へと導く音孔を更に備え、
前記サスペンションは、前記側壁部に取り付けられており、
前記第１空間は、前記振動板を基準にして前記音孔が設けられている側の空間であり、前記音孔の内部空間を含み、
前記第２空間は、前記振動板を基準にして前記第１空間の反対側の空間であり、少なくとも一部が前記ヨークカバーによって囲まれており、
前記チューブは、前記ヨークカバーと前記ヨークに外側から接続されることにより、前記第１空間と前記第２空間を連通する、
請求項５に記載のスピーカ。
【請求項７】
前記スピーカは、第１および第２スピーカユニットを備え、
前記第１及び第２スピーカユニットは、前記筐体、前記ボイスコイル、前記振動板及び前記磁性流体をそれぞれ有し、
前記第１及び第２スピーカユニットは、前記第１空間と前記第２空間を共有し、
前記チューブは、前記第１スピーカユニットの前記第１空間と、前記第２スピーカユニットの前記第２空間を連通する、請求項３に記載のスピーカ。
【請求項８】
前記チューブは、前記ヨークを介することにより、前記第１空間と前記第２空間を貫通し、
前記チューブは複数個設けられている、
請求項３に記載のスピーカ。
【請求項９】
前記ベント部は、前記ヨークに形成される溝を有する、
請求項２に記載のスピーカ。
【請求項１０】
前記プレート、前記マグネット及び前記ヨークを貫通して形成され、前記振動板で発生した音を外部へと導く音孔を更に備え、
前記ヨークは、前記マグネットが固定された配置部と、前記マグネット、前記プレート及び前記ボイスコイルの周囲を囲むように前記配置部から形成された側壁部を有し、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記溝は、前記配置部の前記マグネットが配置されている面に、前記外周空間と前記音孔を繋ぐように形成されている、
請求項９に記載のスピーカ。
【請求項１１】
請求項２に記載のスピーカと、
前記スピーカに取り付けられるポートと、
を備え、
前記ポートは前記ヨークと接続され、
前記ベント部は、前記ヨークに形成される貫通部、及び、前記ポートに形成される溝を有する、
イヤホン。
【請求項１２】
前記スピーカは、
前記プレート、前記マグネット及び前記ヨークを貫通して形成され、前記振動板で発生した音を外部へと導く音孔を有し、
前記ヨークは、
前記マグネットが固定された配置部と、前記マグネット、前記プレート及び前記ボイスコイルの周囲を囲むように前記配置部から形成された側壁部を有し、
前記ポートは、
前記音孔と連通し、音を外部へと伝達する伝達路と、
前記ヨークの前記配置部に当接するフランジ部と、を有し、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記貫通部は、前記配置部の前記外周空間に対向する部分に形成されており、
前記溝は、前記貫通部と前記ポート内部空間を接続するように前記フランジ部に形成されている、
請求項１１記載のイヤホン。
【請求項１３】
請求項２に記載のスピーカと、
前記スピーカに取り付けられるゴムシートと、
を備え、
前記ゴムシートは前記ヨークと接続され、
前記ベント部は、前記ヨークに形成される貫通部、及び、前記ゴムシートに形成される溝を有する、
イヤホン。
【請求項１４】
前記スピーカは、
前記プレート、前記マグネット及び前記ヨークを貫通して形成され、前記振動板で発生した音を外部へと導く音孔を有し、
前記ヨークは、
前記マグネットが固定された配置部と、前記マグネット、前記プレート及び前記ボイスコイルの周囲を囲むように前記配置部から形成された側壁部を有し、
前記ゴムシートは、
前記音孔の一部を形成する貫通孔を有し、前記ヨークの前記配置部に配置され、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記貫通部は、前記配置部の前記外周空間に対向する部分に形成されており、
前記溝は、前記配置部の前記貫通部と前記ゴムシートの前記貫通孔を接続するように前記ゴムシートに形成されている、
請求項１３記載のイヤホン。
【請求項１５】
前記ベント部は、前記ヨークの下部かつ外周部に形成される溝と、前記溝に充填された磁性流体を有する、請求項２に記載のスピーカ。
【請求項１６】
前記プレート、前記マグネット及び前記ヨークを貫通して形成され、前記振動板で発生した音を外部へと導く音孔を更に備え、
前記ヨークは、前記マグネットが固定された配置部と、前記マグネット、前記プレート及び前記ボイスコイルの周囲を囲むように前記配置部から形成された側壁部を有し、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記溝は、前記配置部の前記マグネットが配置されている面側に、前記外周空間と前記音孔の内部空間を繋ぐように形成されており、前記磁性流体が充填されている、
請求項１５記載のスピーカ。
【請求項１７】
前記マグネットは、第１マグネット部と第２マグネット部を有し、
前記第１マグネット部と前記第２マグネット部に挟まれ、内部に前記第１空間と前記第２空間を連通する溝を有し、磁性体によって形成された溝形成部を備え、
前記ベント部は、前記溝形成部に形成された溝を有する、
請求項２に記載のスピーカ。
【請求項１８】
前記ヨークは、
前記マグネットが固定された配置部、及び前記マグネット、前記プレート及び前記ボイスコイルの周囲を囲むように前記配置部から形成された側壁部を有し、
前記プレート、前記マグネット及び前記ヨークを貫通して形成され、前記振動板で発生した音を外部へと導く音孔を更に備え、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記溝は、前記外周空間と前記音孔の内部空間を連通するように前記溝形成部に形成されている、
請求項１７に記載のスピーカ。
【請求項１９】
請求項２記載のスピーカと、
前記スピーカに接続されるポートと、
前記ポートを覆うように配置されるイヤーチップと、を備え、
前記ポートは、前記ヨークと接続され、
前記ベント部は、前記ヨークに形成される貫通部と、前記ポートの側面に形成される溝を有し、
前記溝と前記溝を覆う前記イヤーチップによって形成される流通路によって前記第１空間と前記第２空間が連通される、
イヤホン。
【請求項２０】
前記ベント部は、前記マグネットに形成される貫通孔を有する、
請求項２に記載のスピーカ。
【請求項２１】
前記ヨークは、
前記マグネットが固定された配置部、及び前記マグネット、前記プレート及び前記ボイスコイルの周囲を囲むように前記配置部から形成された側壁部を有し、
前記プレート、前記マグネット及び前記ヨークを貫通して形成され、前記振動板で発生した音を外部へと導く音孔を更に備え、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記貫通孔は、前記外周空間と前記音孔の内部空間を連通するように前記マグネットに形成されている、
請求項２０に記載のスピーカ。
【請求項２２】
請求項２に記載のスピーカと、
前記スピーカに取り付けられるポートと、
を備え、
前記ポートは前記ヨークの側壁部に配置され、
前記ベント部は、前記ヨークの前記側壁部と前記ポートを接続する接続路を有する、
イヤホン。
【請求項２３】
前記スピーカは、平面視において矩形状であり、前記プレート、前記マグネット及び前記ヨークを貫通して形成され、前記振動板で発生した音を外部へと導く音孔を有し、
前記ヨークは、前記マグネットが固定された配置部と、前記マグネット、前記プレート及び前記ボイスコイルの周囲を囲むように前記配置部から形成された前記側壁部を有し、
前記ポートは、前記音孔と連通し、音を外部へと伝達する伝達路を有し、前記ヨークの側壁部に取り付けられ、
前記第１空間は、前記振動板を基準にして前記音孔が設けられている側の空間であり、前記音孔の内部空間を含み、
前記第２空間は、前記振動板を基準にして前記第１空間の反対側の空間であり、
前記接続路は、前記第２空間の前記側壁部と対向する部分と前記伝達路を接続する、
請求項２２に記載のイヤホン。
【請求項２４】
前記ベント部は、前記マグネットと前記ヨークの間に位置する多孔性シートを有する、請求項２に記載のスピーカ。
【請求項２５】
前記プレート、前記マグネット及び前記ヨークを貫通して形成され、前記振動板で発生した音を外部へと導く音孔を更に備え、
前記ヨークは、前記マグネットが固定された配置部と、前記マグネット、前記プレート及び前記ボイスコイルの周囲を囲むように前記配置部から形成された側壁部を有し、
前記第１空間は、前記振動板を基準にして前記音孔が設けられている側の空間であり、前記音孔の内部空間を含み、
前記第２空間は、前記振動板を基準にして前記第１空間の反対側の空間であり、前記マグネットの外周側であって、前記マグネット、前記ボイスコイル及び前記磁性流体と前記側壁部の間に形成された外周空間を含み、
前記多孔性シートは、前記外周空間と前記音孔の間であって、前記マグネットと前記配置部の間に配置されている、
請求項２４に記載のスピーカ。
【請求項２６】
前記振動板は、多孔性の材料を含み、
前記振動板は前記ベント部と兼ねられている、請求項２に記載のスピーカ。
【請求項２７】
前記プレート、前記マグネット及び前記筐体を貫通して形成され、前記振動板で発生した音を外部へと導く音孔を備え、
前記第１空間は、前記振動板を基準にして前記音孔が設けられている側の空間であり、前記音孔の内部空間を含み、
前記第１空間と前記第２空間は、前記振動板、前記ボイスコイル、前記磁性流体、前記プレート及び前記マグネットによって前記筐体内の空間が分離されて形成されている、
請求項２記載のスピーカ。
【請求項２８】
前記磁性流体の近傍部分であって、前記プレート、前記振動板、又は前記ボイスコイルに対して塗布される撥油剤をさらに備えた、
請求項２、３、７〜１０、１５〜１８、２０、２１、２４〜２７のいずれか一項に記載のスピーカ。
【請求項２９】
前記磁性流体の近傍部分であって、前記プレート、前記振動板、又は前記ボイスコイルに対して塗布される撥油剤をさらに備えた、
請求項４、１１〜１４、１９、２２、２３のいずれか一項に記載のイヤホン。
【請求項３０】
請求項１〜３、５〜１０、１５〜１８、２０、２１、２４〜２８のいずれか一項に記載のスピーカ又は請求項４、１１〜１４、１９、２２、２３、２９のいずれか一項に記載のイヤホンを備えた補聴装置。
【発明の詳細な説明】
【技術分野】
【０００１】
本発明は、スピーカ、イヤホン及び補聴装置に関するものである。
【背景技術】
【０００２】
スピーカの背面を開放した状態で使用する開放型スピーカにおいて、振動板に固定されているボイスコイルは、プレートとマグネットとヨークで構成されている磁気回路で磁束密度の強い環状ギャップに塗布されている磁性流体内に挿入されている。その磁性流体は、組み立て時のセンタリングやボイスコイルとプレートの接触や温度上昇を防ぐことができる。また、駆動時においても接触を防ぎ、かつ、振動板の前面と背面の音響空間を分離させている（例えば、特許文献１参照。）。
【先行技術文献】
【特許文献】
【０００３】
【特許文献１】国際公開第２０１１／１２９１０８号
【発明の概要】
【発明が解決しようとする課題】
【０００４】
音漏れを防ぐ為に片側の音孔を塞いだ密閉型スピーカの構成の場合、磁性流体を用いると振動板を境にして筐体内の空間が分離されることになる。その為、密閉された一方の空間内の圧力に関して、温度や振動板の動作により他方の空間との圧力差が生じ、磁性流体がはじき飛ばされる場合がある。その結果、環状ギャップ内の磁性流体が振動板、プレート等に付着し、また、量が減少して空隙が発生し音響特性を劣化させてしまう。
【０００５】
また、磁性流体を用いないスピーカの場合、振動板を支持するために振動板の全周にわたってサスペンションが設けられ、振動板とサスペンションによって筐体内の空間が２分割される。このため、イヤーチップが取り付けられる等の状態においてスピーカが外耳道と密閉されて挿入された場合に、この２つの空間における圧力差によって振動板の変形による異音や、振動板位置のズレが発生する場合がある。
【０００６】
一方、開放型スピーカであっても、振動板を基準にして両側に配置されている音孔の形状などによって一時的に振動板の一方の面と他方の面に加わる圧力に差が生じる場合がある。
本発明の目的は、上記従来のスピーカの課題を考慮し、振動板の両面にかかる圧力に差が生じることを抑制可能なスピーカ、イヤホン及び補聴装置を提供することである。
【課題を解決するための手段】
【０００７】
上記目的を達成するために、第１の本発明のスピーカは、マグネットと、筐体と、プレートと、ボイスコイルと、振動板と、サスペンションと、ベント部を備える。筐体は、にマグネットを保持するヨークを有する。プレートは、マグネットの面上に配置されている。ボイスコイルは、プレートの外周側に形成された磁気空隙に、マグネットとプレートの配置方向と平行に振動可能に配置されている。振動板は、周縁部がボイスコイルの端と接合され、プレートを覆うように形成されている。サスペンションは、振動板と筐体を接続し、振動板を筐体に支持する。ベント部は、振動板を挟むように筐体内に形成された第１空間と第２空間の間を連通する。
【０００８】
このように、ベント部によって第１空間と第２空間が連通するため、第１空間と第２空間の間に圧力差が生じることを抑制することが出来る。
そのため、振動板の両面にかかる圧力に差が生じることを抑制でき、圧力差によるボイスコイルの移動を妨げることが出来、良好な音響特性を得ることが出来る。
特に、その背面に密閉した空間が設けられた密閉型のスピーカの場合には、第１空間と第２空間の一方が密閉されることになり、圧力差が生じやすいため、本発明の効果がより発揮される。
【０００９】
また、第２の本発明のスピーカは、第１の本発明のスピーカであって、磁気空隙において発生する磁界によりプレートとボイスコイルの間に保持される磁性流体を備えている。
これにより、圧力差が生じて磁性流体が飛ばされるといった不具合が生じることを低減でき、磁性流体の量が減少することを抑制することが出来る。
また、第３の本発明のスピーカは、第２の本発明のスピーカであって、ベント部はチューブを有している。チューブにより第１空間と第２空間が連通される。
【００１０】
このようにチューブを用いて第１空間と第２空間を連通するため、第１空間と第２空間の間に圧力差が生じることを抑制することが出来る。
また、チューブの内径や全長を変更することによって、自由に圧力調整機能を設計することが出来る。
また、第４の本発明のイヤホンは、第３の本発明のスピーカと、ポートを備えている。ヨークは、配置部と側壁部を有している。配置部には、マグネットが固定される。側壁部は、前記マグネット、前記プレート及び前記ボイスコイルの周囲を囲むように配置部から形成されている。スピーカは、音孔を有している。音孔は、プレート、マグネット及びヨークを貫通して形成され、振動板で発生した音を外部へと導く。
ポートは、配置部に取り付けられており、音孔と連通し、音を外部へと伝達する伝達路を有している。第１空間は、振動板を基準にして音孔が設けられている側の空間であり、音孔の内部空間を含んでいる。第２空間は、振動板を基準にして第１空間の反対側の空間であり、マグネットの外周側であって、マグネット、ボイスコイル及び磁性流体と側壁部の間に形成された外周空間を含んでいる。チューブは、ポートの内側に配置され、外周空間と伝達路を連通する。
【００１１】
このように、チューブが外周空間と伝達路を連通することにより、外周空間を含んでいる第２空間と、伝達路と連通している第１空間が連通する。
また、第５の本発明のスピーカは、第１の本発明のスピーカであって、サスペンションは、振動板の全周にわたって設けられ、振動板を筐体に支持する。第１空間と第２空間は、振動板とそのサスペンションによって隔てられている。
【００１２】
この場合、筐体内の空間は、サスペンションと振動板によって第１空間と第２空間に隔てられることになる。このような構成において、チューブによって第１空間と第２空間を連通することによって、両者の空間に圧力差が生じることを低減することが出来る。
このように構成して振動板を挟む空間を連通することで、スピーカ挿入時の振動板の変形による異音や、振動板位置のズレを抑制することができる。
【００１３】
また、第６の本発明のスピーカは、第５の本発明のスピーカであって、ベント部はチューブを有し、筐体は、ヨークカバーを有している。ヨークは、マグネットが固定された配置部と、マグネット、プレート及びボイスコイルの周囲を囲むように配置部から形成された側壁部とを有する。ヨークカバーは、側壁部の端に配置されている。スピーカは、プレート、マグネット及びヨークを貫通して形成され、振動板で発生した音を外部へと導く音孔を有する。サスペンションは、側壁部に取り付けられている。第１空間は、振動板を基準にして音孔が設けられている側の空間であり、音孔の内部空間を含む。第２空間は、振動板を基準にして第１空間の反対側の空間であり、少なくとも一部がヨークカバーによって囲まれている。チューブは、ヨークカバーとヨークに外側から接続されることにより、前記第１空間と前記第２空間を連通する。
【００１４】
このように、ヨークカバーとヨークにチューブを接続することにより、第１空間と第２空間を連通することが出来る。
また、第７の本発明のスピーカは、第３の本発明のスピーカであって、第１及び第２のスピーカユニットを備えている。第１及び第２のスピーカユニットは、筐体、ボイスコイル、振動板及び磁性流体をそれぞれ有している。第１及び第２のスピーカユニットは、第１空間と第２空間を共有している。チューブは、前記第１スピーカユニットの第１空間と、第２スピーカユニットの第２空間を連通する。
【００１５】
このように、チューブによって、一方のスピーカユニットの第１空間と、他方のスピーカユニットの第２空間を連通することによって、少なくとも一方のスピーカユニットにおいて振動板を挟んで配置される空間に圧力差が生じることを抑制することが出来る。
また、第８の本発明のスピーカは、第３の本発明のスピーカであって、チューブは、ヨークを介することにより、第１空間と第２空間を貫通している。チューブは複数本設けられている。
【００１６】
音響インピーダンスが高い場合に、１本のチューブでは磁性流体の飛散が発生する場合でも、２本チューブが設けられている場合には、トータルの音響インピーダンスを下げることが出来、圧力差を抑制する通気流路としての機能を発揮させることが出来る。
また、１本に詰まりなどが発生した場合に、もう１本設けられているため安全である。
また、第９の本発明のスピーカは、第２の本発明のスピーカであって、ベント部は、ヨークに形成される溝を有する。
【００１７】
このように、溝を形成することによって第１空間と第２空間を連通させることが出来、チューブ等の別部材を設ける必要がないため部品点数を減らすことが出来る。
また、第１０の本発明のスピーカは、第９の本発明のスピーカであって、音孔を更に備えている。音孔は、プレート、マグネット及びヨークを貫通して形成され、振動板で発生した音を外部へと導く。ヨークは、マグネットが固定された配置部と、マグネット、プレート及びボイスコイルの周囲を囲むように配置部から形成された側壁部を有する。第１空間は、振動板を基準にして音孔が設けられている側の空間であり、音孔の内部空間を含んでいる。第２空間は、振動板を基準にして第１空間の反対側の空間であり、マグネットの外周側であって、マグネット、ボイスコイル及び磁性流体と側壁部の間に形成された外周空間を含んでいる。溝は、配置部のマグネットが配置されている面に、外周空間と音孔を繋ぐように形成されている。
【００１８】
このように、貫通部と溝によって外周空間と伝達路を連通することにより、外周空間を含んでいる第２空間と、伝達路と連通している第１空間が連通する。
また、第１１の本発明のイヤホンは、第２の本発明のスピーカと、スピーカに取り付けられるポートとを備えている。ポートはヨークと接続されている。ベント部は、ヨークに形成される貫通部、及び、ポートに形成される溝を有する。
【００１９】
このように、貫通部及び溝を形成することによって第１空間と第２空間を連通させることが出来る。
また、第１２の本発明のイヤホンは、第１１の本発明のイヤホンであって、スピーカは、プレート、マグネット及びヨークを貫通して形成され、振動板で発生した音を外部へと導く音孔を有している。ヨークは、マグネットが固定された配置部と、マグネット、プレート及びボイスコイルの周囲を囲むように配置部から形成された側壁部を有する。ポートは、音孔と連通し、音を外部へと伝達する伝達路と、ヨークの配置部に当接するフランジ部とを有している。第１空間は、振動板を基準にして音孔が設けられている側の空間であり、音孔の内部空間を含む。第２空間は、振動板を基準にして第１空間の反対側の空間であり、マグネットの外周側であって、マグネット、ボイスコイル及び磁性流体と側壁部の間に形成された外周空間を含む。貫通部は、配置部の外周空間に対向する部分に形成されている。溝は、貫通部とポート内部空間を接続するようにフランジ部に形成されている。
【００２０】
このように、貫通部と溝によって外周空間と伝達路を連通することにより、外周空間を含んでいる第２空間と、伝達路と連通している第１空間が連通する。
また、第１３の本発明のイヤホンは、第２の本発明のスピーカと、スピーカに取り付けられるゴムシートとを備えている。ゴムシートはヨークと接続されている。ベント部は、ヨークに形成される貫通部、及び、ゴムシートに形成される溝を有する。
【００２１】
ゴムシートは、例えばポートを接続する際のポートとスピーカの間の介在物として機能する。このように、貫通部及び溝を形成することによって第１空間と第２空間を連通させることが出来る。
第１４の本発明のイヤホンは、第１３の本発明のイヤホンであって、スピーカは、プレート、マグネット及びヨークを貫通して形成され、振動板で発生した音を外部へと導く音孔を有している。ヨークは、マグネットが固定された配置部と、マグネット、プレート及びボイスコイルの周囲を囲むように配置部から形成された側壁部を有する。ゴムシートは、音孔の一部を形成する貫通孔を有し、ヨークの配置部に配置されている。第１空間は、前記振動板を基準にして前記音孔が設けられている側の空間であり、前記音孔の内部空間を含む。第２空間は、振動板を基準にして第１空間の反対側の空間であり、マグネットの外周側であって、マグネット、ボイスコイル及び磁性流体と側壁部の間に形成された外周空間を含む。貫通部は、配置部の外周空間に対向する部分に形成されている。溝は、配置部の貫通部とゴムシートの貫通孔を接続するようにゴムシートに形成されている。
【００２２】
このように、貫通部と溝によって外周空間と伝達路を連通することにより、外周空間を含んでいる第２空間と、伝達路と連通している第１空間が連通する。
第１５の本発明のイヤホンは、第２の本発明のイヤホンであって、ベント部は、ヨークの下部かつ外周部に形成される溝と、溝に充填された磁性流体を有する。
第１空間と第２空間の一方の圧力が上昇すると、磁性流体が溝から押し出されることによって第１空間と第２空間は連通し、圧力差が減少していくと磁性流体は毛細管現象と磁束密度によって除々に溝へと戻り、第１空間と第２空間の連通は妨げられる。これにより、圧力差が生じたときに第１空間と第２空間を連通させて、圧力差を解消することが可能となる。
【００２３】
第１６の本発明のイヤホンは、第１５の本発明のイヤホンであって、プレート、マグネット及びヨークを貫通して形成され、前記振動板で発生した音を外部へと導く音孔を更に備えている。ヨークは、マグネットが固定された配置部と、マグネット、プレート及びボイスコイルの周囲を囲むように配置部から形成された側壁部を有する。第１空間は、振動板を基準にして音孔が設けられている側の空間であり、音孔の内部空間を含む。第２空間は、振動板を基準にして第１空間の反対側の空間であり、マグネットの外周側であって、マグネット、ボイスコイル及び磁性流体と側壁部の間に形成された外周空間を含む。溝は、配置部のマグネットが配置されている面側に、外周空間と音孔の内部空間を繋ぐように形成されており、磁性流体が充填されている。
【００２４】
これにより、第２空間の圧力が第１空間よりも高くなった場合に、磁性流体は音孔へと押し出され、第１空間と第２空間は連通する。また、マグネットの外側であって底部近傍の磁束密度が高くなっているため、圧力差が減少していくと磁性流体は磁束密度と毛細管現象によって除々に溝へと戻り、第１空間と第２空間の連通は妨げられる。
第１７の本発明のスピーカは、第２の本発明のスピーカであって、マグネットは、第１マグネット部と第２マグネット部を有する。スピーカは、第１マグネット部と第２マグネット部に挟まれた溝形成部を備えている。溝形成部は、磁性体によって形成されており、内部に第１空間と第２空間を連通する溝を有する。ベント部は、溝形成部に形成された溝を有する。
【００２５】
このように、溝を形成することによって第１空間と第２空間を連通させることが出来る。また、マグネットは割れやすいため細かな加工が困難であるが、磁性体で溝を形成すればよいため、マグネットの加工を行う必要がないため、簡易に作製することが出来る。
第１８の本発明のスピーカは、第１７の本発明のスピーカであって、ヨークは、マグネットが固定された配置部、及びマグネット、プレート及びボイスコイルの周囲を囲むように配置部から形成された側壁部を有する。スピーカは、プレート、マグネット及びヨークを貫通して形成され、振動板で発生した音を外部へと導く音孔を更に備えている。ヨークは、マグネットが固定された配置部と、マグネット、プレート及びボイスコイルの周囲を囲むように配置部から形成された側壁部を有する。第１空間は、振動板を基準にして音孔が設けられている側の空間であり、音孔の内部空間を含む。第２空間は、振動板を基準にして第１空間の反対側の空間であり、マグネットの外周側であって、マグネット、ボイスコイル及び磁性流体と側壁部の間に形成された外周空間を含む。溝は、外周空間と音孔の内部空間を連通するように溝形成部に形成されている。
【００２６】
第１９の本発明のイヤホンは、第２の本発明のスピーカと、スピーカに接続されるポートと、ポートを覆うように配置されるイヤーチップとを備える。ポートは、ヨークと接続される。ベント部は、ヨークに形成される貫通部と、ポートの側面に形成される溝を有する溝と溝を覆うイヤーチップによって形成される流通路によって第１空間と第２空間が連通される。
【００２７】
このように、ヨークに貫通部を形成し、ポートに溝を形成することによって第１空間と第２空間を連通させることが出来る。長い細管の穴あけ加工は、一般的に困難であるが、長い穴あけ加工を施すことなく、溝を形成することによってイヤーチップを利用して細管（流通路）を構成することが出来る。
第２０の本発明のスピーカは、第２の本発明のスピーカであって、ベント部は、マグネットに形成される貫通孔を有する。
【００２８】
このように、マグネットに貫通孔を形成することによって第１空間と第２空間を連通させることが出来る。
第２１の本発明のスピーカは、第２０の本発明のスピーカであって、ヨークは、配置部及び側壁部を有する。配置部には、マグネットが固定されている。側壁部は、マグネット、プレート及びボイスコイルの周囲を囲むように配置部から形成されている。スピーカは、プレート、マグネット及びヨークを貫通して形成され、振動板で発生した音を外部へと導く音孔を更に備えている。第１空間は、振動板を基準にして音孔が設けられている側の空間であり、音孔の内部空間を含む。第２空間は、振動板を基準にして第１空間の反対側の空間であり、マグネットの外周側であって、マグネット、ボイスコイル及び磁性流体と側壁部の間に形成された外周空間を含む。貫通孔は、外周空間と音孔の内部空間を連通するようにマグネットに形成されている。
【００２９】
このように、貫通孔によって外周空間と音孔を連通することにより、外周空間を含んでいる第２空間と、音孔を含んでいる第１空間が連通する。
また、第２２の本発明のイヤホンは、第２の本発明のスピーカと、スピーカに取り付けられるポートとを備えている。ポートはヨークの側壁部に配置されている。ベント部は、ヨークの側壁部とポートを接続する接続路を有する。
【００３０】
このように、ヨークの側面とポートを連通する接続路によって第１空間と第２空間を連通させることが出来る。
また、例えば、スピーカが平面視において矩形状の場合、その短辺側にポートを取り付けることにより、細長い形状を保ったまま、接続路によって外周空間と伝達路を連通することが出来る。
【００３１】
また、第２３の本発明のイヤホンは、第２２の本発明のイヤホンであって、スピーカは、平面視において矩形状であり、プレート、マグネット及びヨークを貫通して形成され、振動板で発生した音を外部へと導く音孔を有する。ヨークは、マグネットが固定された配置部を有し、側壁部は、マグネット、プレート及びボイスコイルの周囲を囲むように配置部から形成されている。ポートは、音孔と連通し、音を外部へと伝達する伝達路を有し、側壁部に取り付けられる。第１空間は、振動板を基準にして音孔が設けられている側の空間であり、音孔の内部空間を含む。第２空間は、振動板を基準にして第１空間の反対側の空間である。接続路は、第２空間の側壁部と対向する部分と伝達路を連通する。
【００３２】
例えば、矩形状の短辺側にポートを取り付けることにより、細長い形状を保ったまま、管によって外周空間と伝達路を連通することが出来る。この連通により、外周空間を含んでいる第２空間と、伝達路と連通している第１空間が連通する。
また、第２４の本発明のスピーカは、マグネットを保持するヨークを有する。ベント部は、マグネットとヨークの間に位置する多孔性シートを有する。
【００３３】
多孔性シートとして適切な音響インピーダンスを有するものを選択することによって、溝を形成したり、チューブを設けることなく、振動板を挟む第１空間と第２空間の間を圧力差が生じた際に連通することが出来る。
また、第２５の本発明のスピーカは、第２４のスピーカであって、プレート、マグネット及びヨークを貫通して形成され、振動板で発生した音を外部へと導く音孔を更に備えている。ヨークは、マグネットが固定された配置部と、マグネット、プレート及びボイスコイルの周囲を囲むように配置部から形成された側壁部を有する。第１空間は、振動板を基準にして音孔が設けられている側の空間であり、音孔の内部空間を含む。第２空間は、振動板を基準にして第１空間の反対側の空間であり、マグネットの外周側であって、マグネット、ボイスコイル及び磁性流体と側壁部の間に形成された外周空間を含む。多孔性シートは、外周空間と音孔の間であって、マグネットと配置部の間に配置されている。
【００３４】
多孔性シートとして適切な音響インピーダンスを有するものを選択することによって、第１空間と第２空間に圧力差が生じた際に、外周空間と音孔の間を連通することが出来る。
また、第２６の本発明のスピーカは、第２の本発明のスピーカであって、振動板は、多孔性の材料を含み、振動板はベント部と兼ねられている。
【００３５】
適切な音響インピーダンスを有する振動板を用いることにより、振動板の両側に位置する第１空間と第２空間の間に圧力差が生じた際に、振動板を介して両側の空間を連通することが出来る。
また、溝を設けたり、チューブを設けるなどの必要が無く、第１空間と第２空間を必要なときに連通することが可能となる。
【００３６】
また、第２７の本発明のスピーカは、第２の本発明のスピーカであって、プレート、マグネット及び筐体を貫通して形成され、振動板で発生した音を外部へと導く音孔を備える。第１空間は、振動板を基準にして音孔が設けられている側の空間であり、音孔の内部空間を含む。第１空間と第２空間は、振動板、ボイスコイル、磁性流体、プレート及びマグネットによって筐体内の空間が分離されて形成されている。
【００３７】
以上のような第１空間と第２空間の間をベント部によって連通することにより、振動板の両側の面にかかる圧力に差が生じることが抑制することが出来る。
また、第２８の本発明のスピーカは、第２、３、７〜１０、１５〜１８、２０、２１、２４〜２７の本発明のいずれかのスピーカであって、磁性流体の近傍部分であって、プレート、振動板、又はボイスコイルに対して塗布される撥油剤をさらに備えている。
【００３８】
このように、撥油剤を塗布することにより、その撥油剤の表面張力により磁束密度が最大となる最初に塗布されたギャップの位置に移動しやすくなり、その結果として磁性流体の減少を防ぐことができる。
また、第２９の本発明のイヤホンは、第４、１１〜１４、１９、２２、２３の本発明のいずれかのイヤホンであって、磁性流体の近傍部分であって、プレート、振動板、又はボイスコイルに対して塗布される撥油剤をさらに備えている。
【００３９】
このように、撥油剤を塗布することにより、その撥油剤の表面張力により磁束密度が最大となる最初に塗布されたギャップの位置に移動しやすくなり、その結果として磁性流体の減少を防ぐことができる。
また、第３０の本発明は、第１〜３、５〜１０、１５〜１８、２０、２１、２４〜２７の本発明のいずれかのスピーカ又は第４、１１〜１４、１９、２２、２３の本発明のいずれかイヤホンを備えた補聴装置である。
【００４０】
これにより、補聴装置として使用することが出来る。
【発明の効果】
【００４１】
本発明によれば、振動板の両面にかかる圧力に差が生じることを抑制可能なスピーカ、イヤホン及び補聴装置を提供することが出来る。
【図面の簡単な説明】
【００４２】
【図１】本発明にかかる実施の形態１におけるイヤホンを示す断面構成図。
【図２】図１のイヤホンの斜視図。
【図３】図１のＢＢ間の断面図。
【図４】図１のイヤホンの構成を示す断面図。
【図５】本発明にかかる実施の形態１の変形例におけるイヤホンを示す斜視図。
【図６】本発明にかかる実施の形態１の変形例におけるイヤホンを示す斜視図。
【図７】本発明にかかる実施の形態１の変形例におけるイヤホンを示す斜視図。
【図８】本発明にかかる実施の形態１の変形例におけるイヤホンを示す斜視図。
【図９】図８のＣＣ間の断面図。
【図１０】本発明にかかる実施の形態１の変形例におけるイヤホンを示す斜視図。
【図１１】本発明にかかる実施の形態２におけるスピーカを示す断面構成図。
【図１２】本発明にかかる実施の形態２の変形例におけるスピーカを用いたイヤホンを示す断面構成図。
【図１３】本発明にかかる実施の形態２の変形例におけるスピーカを用いたイヤホンを示す断面構成図。
【図１４】本発明にかかる実施の形態２の変形例におけるスピーカを示す断面構成図。
【図１５】図１４のスピーカにおける磁束密度分布を示す図。
【図１６】本発明にかかる実施の形態２の変形例におけるスピーカを示す断面構成図。
【図１７】（ａ）図１６のスピーカの溝形成部の平面図、（ｂ）図１６のスピーカの溝形成部とマグネット部の積層状態を示す図。
【図１８】本発明にかかる実施の形態２の変形例におけるスピーカを用いたイヤホンを示す断面構成図。
【図１９】図１８のＤＤ間の断面構成図。
【図２０】本発明にかかる実施の形態３におけるスピーカを示す断面構成図。
【図２１】（ａ）本発明にかかる実施の形態３の変形例におけるスピーカを用いたイヤホンを示す平面図。（ｂ）（ａ）の正面の断面構成図。
【図２２】本発明にかかる実施の形態４におけるスピーカを示す断面構成図。
【図２３】本発明にかかる実施の形態４の変形例におけるスピーカを示す断面構成図。
【図２４】本発明にかかる実施の形態５のスピーカの構成を説明する部分拡大図。
【図２５】本発明にかかる実施の形態６の補聴装置の外観図。
【発明を実施するための形態】
【００４３】
以下に、本発明にかかる実施の形態について図面を参照しながら以下に説明する。
（実施の形態１）
以下に本発明の実施の形態１について説明する。
図１は、本実施の形態１のイヤホン１の断面構成図である。図１に示すように、本実施の形態１のイヤホン１００は、密閉型のイヤホンであり、スピーカ２と、ポート３を備えている。ポート３は、スピーカ２に取り付けられ、ポート３には例えばイヤーチップ等が取り付けられるが、イヤーチップは省略している（以下の図に示すイヤホンにおいても適宜イヤーチップは省略している）。
【００４４】
図２は、図１のイヤホン１００の斜視図である。尚、図２では、ポート３の内側を視認可能なように、ポート３の紙面手前半分の構造を省略している。
（スピーカ２）
図１及び図２に示すように、スピーカ２は、マグネット１０と、筐体１１と、プレート１２と、ボイスコイル１３と、振動板１４と、磁性流体１５と、チューブ２３を備えている。
【００４５】
筐体１１は、略円柱形状であって、ヨーク１６と、ヨークカバー１７を有している。図１および図２においては、ヨーク１６は、上端に蓋を有する円筒形状であり、その上端に位置する部分に設けられ、マグネット１０が配置される配置部２０と、配置部２０の周囲から下方に向かってマグネット１０を囲むように形成された側壁部２１を有している。マグネット１０は、円環形状であり、その内側に貫通孔１０ａを有している。そして、マグネット１０は、その中心軸が配置部２０に対して垂直になるように配置部２０に配置される。ヨーク１６の配置部２０には、マグネット１０の貫通孔１０ａと連通する貫通孔２０ａが形成されている。ヨークカバー１７は、下端に蓋を有する円筒形状であり、ヨーク１６の下側の開口を覆うように配置されている。本実施の形態のスピーカ２は密閉型のスピーカであり、ヨークカバー１７には、外部との通気孔は形成されていない。
【００４６】
プレート１２は、図１においてマグネット１０の下側の面に配置されている。このプレート１２には、マグネット１０の貫通孔１０ａと連通するように貫通孔１２ａが形成されている。プレート１２の貫通孔１２ａと、マグネット１０の貫通孔１０ａと、配置部２０の貫通孔２０ａによって音孔１８が形成されている。
ボイスコイル１３は、プレート１２の外周側に形成された磁気空隙１９に上下方向（マグネットとプレートの配置方向の一例）に振動可能に配置されている。なお、磁気空隙の振動方向は、マグネット１０のプレート配置面１０ｓに対して垂直方向ともいえる
振動板１４は、その周縁部１４ｓが、ボイスコイル１３の下側の端と接続されている。振動板１４は、ボイスコイル１３の振動によって振動し、この振動板１４の振動によって音が発生する。また、振動板１４は、サスペンション２２によって筐体１１に固定されている。図３は、図１のＢＢ間の矢印方向を示す図である。図３に示すように、サスペンション２２は、細長い板状の部材であり、４本設けられており、その一方の端がヨーク１６の側壁部２１に固定され、他方の端が振動板１４に固定されている。このように、本実施の形態では、振動板１４は、例えば、９０度間隔で４箇所サスペンション２２によって側壁部２１と接続されている。このように、振動板１４は、ダンパーとなるブリッジ状のサスペンションによって筐体１１に支持されている。
【００４７】
図１に示すように、磁性流体１５は、磁気空隙１９におけるプレート１２とボイスコイル１３の間に配置されている。この磁性流体１５を配置することによって、組立て時のボイスコイル１３のセンタリングや、ボイスコイル１３とプレート１２の接触を防ぐことが出来る。また、詳しくは後述するが、この磁性流体１５を配置することにより、ボイスコイル１３とプレート１２の間に空気層がなくなり、筐体１１内の空間が、マグネット１０、プレート１２、ボイスコイル１３、振動板１４及び磁性流体１５で囲まれた空間と、それ以外の空間に分けられる。
【００４８】
（ポート３）
ポート３は、例えば樹脂によって形成された略筒状の部材であり、図１および図２に示すように、筒状部３０と、筒状部３０の下側の一端に設けられたフランジ部３１とを有している。フランジ部３１は、ヨーク１６の配置部２０に上方から当接する。また、ポート３は、その内側に音を外部に伝達するための伝達路３２を有している。また、図１及び図２に示すように、フランジ部３１のチューブ２３が配置される部分はチューブ２３によって、その他の部分と比べて盛り上がっている。図１に示すように、伝達路３２のスピーカ２と接続される側の開口部に３３を付し、その反対側の開口部に３４を付す。すなわち、ボイスコイル１３の振動に伴って振動板１４によって発生した音は、音孔１８を通り、開口部３３を介してポート３内の伝達路３２を通って、開口部３４から外部へと伝達される。
【００４９】
（イヤホン１００の内部空間）
スピーカ２の筐体１１内の空間は、第１空間４０と第２空間４１に分けられる。第１空間４０は、マグネット１０、プレート１２、ボイスコイル１３、振動板１４及び磁性流体１５で囲まれた空間であり、第２空間４１は、第１空間４０以外の筐体１１内の空間である。
【００５０】
第１空間４０は、振動板１４の上側に位置する上側空間４２と、音孔１８の空間である音孔空間４３（本発明の音孔の内部空間の一例）を有している。この上側空間４２は、ボイスコイル１３と振動板１４とプレート１２によって囲まれた空間である。音孔空間４３は、ポート３の伝達路３２と連通している。
第２空間４１は、マグネット１０、プレート１２、磁性流体１５および振動板１４と、ヨーク１６およびヨークカバー１７の間に形成される空間のことである。より詳しくは、第２空間４１は、振動板１４の下側に位置する下側空間４４と、マグネット１０の外周側であって、マグネット１０、プレート１２、磁性流体１５、ボイスコイル１３および振動板１４と側壁部２１の間に形成される外周空間４５を有している。尚、第２空間４１は後述する貫通孔２０ｂが形成されていない場合は、密閉空間となる。
【００５１】
図４は、図１と同じ図であるが、第１空間４０および伝達路３２を実線のハッチングにて示し、第２空間４１を点線のハッチングにて示している。
このように、振動板１４を挟むように設けられた振動板１４の上側に位置する上側空間４２は第１空間４０の一部であり、振動板１４の下側に位置する下側空間４４は第２空間４１の一部である。
【００５２】
このため、第１空間４０と第２空間４１に圧力差が生じると、振動板１４の上側の面と下側の面にかかる圧力に差が生じることになるが、本実施の形態のイヤホン１には、第１空間４０と第２空間４１に圧力差が生じることを抑制するためにチューブ２３が設けられている。
（チューブ２３）
図１及び図２に示すように、本発明のベント部の一例であるチューブ２３は、フランジ部３１と配置部２０の間に配置されており、伝達路３２と外周空間４５を連通している。詳細には、チューブ２３の一端２３ａは、伝達路３２に配置されている。チューブ２３の他端２３ｂは、配置部２０に形成されている貫通孔２０ｂ（本発明の貫通部の一例）に配置されている。貫通孔２０ｂは、配置部２０の外周空間４５に対向する部分に形成されており、配置部２０のマグネット１０よりも外側の部分に形成されているともいえる。
【００５３】
このチューブ２３により、外周空間４５と伝達路３２は連通する（図中矢印Ａ参照）。外周空間４５は第２空間４１に含まれており、伝達路３２は第１空間４０と繋がっているため、第１空間４０と第２空間４１の間に生じる圧力差は、チューブ２３によって解消される。このように、第１空間４０と第２空間４１の間を連通することにより、振動板１４を挟んだ両側の空間における圧力差の発生を抑制することが出来る。
【００５４】
振動板１４を挟んで上下に位置する第１空間４０と第２空間４１の空間容積を、音響特性に影響の無い形状で構成されるベント部の一例であるチューブ２３によって連結させることにより、振動板１４の上側と下側に圧力差が生じなくなる為、磁性流体がはじけないようにすることができる。例えば、外径φ8mmの密閉型スピーカにおいて、内径が約φ0.2mm-0.3mm長さ5mm程度のベントで連結させる。
【００５５】
また、ベント部によって振動板１４の上側の上側空間４２を含む第１空間４０と下側の下側空間４４を含む第２空間４１を連結させる構成の為、不要なベント用の空間が必要なくなり、密閉型スピーカを使用したイヤホンや補聴装置を小型にすることができる。
更に、イヤホンを耳へ装着した時に、音は音孔１８のみから出ることになりイヤホン本体からの音もれは発生しない。従って、本実施の形態１のイヤホン１をマイクと連結して補聴装置として使用した場合、増幅された音がマイクへ入力されないので、ハウリングを抑制することが出来る。
【００５６】
（実施の形態１の変形例）
（Ａ）
図１〜図４のイヤホン１００ではチューブ２３の形状は筐体１１及びポート３に沿って折れ曲がる形状であったが、図５に示されるように、ポート３の内側の形状をチューブ２３に沿った形状としてもよい。
【００５７】
図５は、イヤホン１０１の斜視図である。図５に示すイヤホン１０１は、ポート３１０と、スピーカ２とを備えている。ポート３１０は、ポート３のように円筒形状ではなく、漏斗形状であって、その伝達路３２は、スピーカ２側の開口部３３が外部への開口部３４よりも径が大きくなるように途中から広がるように形成されている。そして、ポート３１０の開口部３３側の端の縁部３１０ａでスピーカ２と接続されている。
【００５８】
すなわち伝達路３１２には、傾斜面３１２ｂが形成されており、その傾斜面３１２ａに沿って、チューブ２３が配置されている。
（Ｂ）
また、特にそのチューブ２３の距離を長く設定したい場合等には、図６に示されるように、筐体１１の上部において円形に巻きまわす構成としてもよい。図６は、イヤホン１０２の斜視図である。図６に示すイヤホン１０２は、図１に示すイヤホンとは異なり、チューブ２３が配置部２０の外側の面にドーナツ状に巻かれて配置されている。尚、チューブ２３はフランジ部３１によって配置部２０に押し付けられることによって固定されているが、別途ポート３又はスピーカ２に固定部材を用いて固定してもよい。
【００５９】
（Ｃ）
上記実施の形態１では、チューブ２３は１本のみ設けられていたが、複数本設けられていても良い。図７は、イヤホン１０３の断面構成図である。図７に示すイヤホン１０３は、スピーカ２と、スピーカ２が内側に配置された外装部３２０を備えている。この外装部３２０は、外装部本体３２１と、ポート３３０を有している。すなわち、図７に示すイヤホン１０３ではポート３３０が外装に組み込まれている。外装部本体３２０は、スピーカ２を覆うように形成されており、ポート３３０は、スピーカ２の配置部２０側に設けられている。ポート３３０は、図１と同様に伝達路３３２を有しており、伝達路３３２から外部に向けて開口した開口部３３４を有している。また、図１と同様に、貫通孔２０ｂにチューブ２３が配置されている。この貫通孔２０ｂとは別に、外周空間４５に対向する配置部２０の部分に貫通孔２０ｃが形成されており、貫通孔２０ｃに２本目のチューブ２３が配置されている。
【００６０】
このように、第１空間４０と第２空間４１を連通するための細管であるチューブ２３を２本設けることにより、例えば、音響インピーダンスが極めて高い細管（チューブ２３）を設ける場合、一つの細管では音響インピーダンスが高過ぎるため、磁性流体の弾けが発生するおそれがある。しかしながら、２つの細管が設けられていれば、トータルの音響インピーダンスを下げることができ、細管であるチューブ２３に通気孔としての機能を持たせることができる。
【００６１】
尚、図７では、スピーカ２を覆う外装部３２０を備えた構成のイヤホン１０３に対して複数本のチューブ２３を設けているが、図１〜図５のイヤホン１、１０１、１０２に対して複数本のチューブ２３が設けられていても良い。
（Ｄ）
上記実施の形態１のイヤホン１では、磁性流体１５が設けられたスピーカ２が用いられていたが、磁性流体１５が設けられていなくてもよい。
【００６２】
図８は、磁性流体１５が設けられていない構成のスピーカ２００を用いたイヤホン１０４の構成を示す断面図である。図９は、図８のＣＣ間の矢印方向の断面図である。図８に示すスピーカ２００では、磁性流体１５が設けられていないため、図３に示すサスペンション２２の代わりにサスペンション２０１が設けられている。このサスペンション２０１は、図９に示すように振動板１４の全周にわたって形成されており、振動板１４をヨーク１６の側壁部２１に支持している。このように、図８の構成のスピーカ２００では、圧すペンション２０１のブリッジが形成されていない。
また、図８に示すイヤホン１０４では、イヤホン１と比較して、スピーカ２００は、ポート３に対する向きがスピーカ２とは反対向きに配置されている。すなわち、ヨークカバー２０２側にポート３が取り付けられている。このヨークカバー２０６とヨーク１６によって筐体２２２が形成されている。ヨークカバー２０２は円筒形状であって、ヨークカバー２０２の側壁部２０６とヨーク１６の側壁部２１のそれぞれに貫通孔２０６ａ、２１ａが形成されており、この貫通孔２０６ａと貫通孔２１ａにチューブ２０５の両端が挿入固定されている。尚、この図８のスピーカ２００では、図１のスピーカ２と比べて上下の向きが逆になっているため、上側空間４２は振動板１４の下側に位置し、下側空間４４は振動板１４の上側に位置することなる。
【００６３】
以上のような構成のスピーカ２００では、図８及び図９に示すようにサスペンション２０１及び振動板１４によってヨーク１６の上側が完全に覆われているため、ヨークカバー２０２とヨーク１６によって形成される筐体２０７の内部空間がサスペンション２０１と振動板１４によって第１空間２０３と第２空間２０４に分けられる。また、図８に示すスピーカ２００では、磁性流体１５が設けられていないため、ボイスコイル１３とプレート１２の間の隙間には空気層が形成されており、この空気層を介して外周空間４５と上側空間４２は連通している。
【００６４】
すなわち、第１空間２０３は、外周空間４５と上側空間４２と音孔空間４３を含み、第２空間２０４は、少なくとも一部がヨークカバー２０２によって囲まれた空間である。
この第１空間２０３と第２空間２０４がチューブ２０５よって連通しているため、振動板１４を挟む両側の空間（第１空間２０３と第２空間２０４）に圧力差が生じることを抑制することが出来る。図８に示すイヤホン１０４では、音孔１８が外部に開放されている開放型のため、密閉型ほどの圧力差は生じないと考えられるが、第１空間２０３と第２空間２０４に一時的に生じる圧力差も解消することが出来る。
【００６５】
尚、図８に示す構成のイヤホン１０４の音孔１８をふさいで、密閉型のイヤホンとしてもよい。この場合、第１空間２０３と第２空間２０４の圧力差が生じやすく、この圧力差によって、イヤーチップが取り付けられる等の状態においてスピーカが外耳道と密閉されて挿入された場合に、振動板の変形による異音や、振動板位置のズレが発生する場合があるが、チューブ２０５を設けることにより、異音の発生や振動板位置のずれの発生を低減することが出来る。
【００６６】
（Ｅ）
上記実施の形態１では、マグネット１０、ヨーク１６、プレート１２、ボイスコイル１３、振動板１４、磁性流体１５及びサスペンション２２から構成されるユニットをスピーカユニットとすると、スピーカユニットが１つ設けられていたが、スピーカユニットが２つ設けられていてもよい。
【００６７】
図１０は、マグネット１０、ヨーク１６、プレート１２、ボイスコイル１３、振動板１４、磁性流体１５及びサスペンション２２から構成されるスピーカユニット５０が２つ設けられているスピーカ２１０を備えたイヤホン１０５を示す断面構成図である。図１０に示すように、イヤホン１０５はスピーカユニット５０を２つ有している。２つのスピーカユニット５０は音孔１８が対向するように配置されており、図中では、上側に配置されているスピーカユニット５０を５０ａとし、他方のスピーカユニット５０を５０ｂとする。この２つのスピーカユニット５０ａ、５０ｂを覆うように外装部３４０が設けられている。
【００６８】
外装部３４０は、スピーカユニット５０ａ、５０ｂを覆うように形成された外装部本体３４１とポート３５０とを有している。ポート３５０は、一方のスピーカユニット５０ａの振動板１４の音孔１８とは反対側に配置されている。ポート３５０の伝達路３５２は、スピーカユニット５０ａの振動板１４の図における上側の空間を含む第２空間４１と繋がっている。また、スピーカユニット５０ａの振動板１４の図中上側の空間を含む第２空間４１と、スピーカユニット５０ｂの振動板１４の図中下側の空間を含む第２空間４１は、スピーカユニット５０ａ、５０ｂの側方に形成されている第１連通路２１１によって連通している。この第１連通路２１１を介して、スピーカユニット５０ｂで発生した音が、ポート３５０へと伝達される。また、スピーカ２１０には、スピーカユニット５０ａの振動板１４の図中下側の空間を含む第１空間４０を外部と連通するための第２連通路２１２と、スピーカユニット５０ｂの振動板１４の図中上側の空間を含む第１空間４０を外部と連通するための第３連通路２１３が設けられている。そして、スピーカユニット５０ａの第２連絡通路２１２及びスピーカユニット５０ｂの第３連通路２１３と、スピーカユニット５０ａの第２空間４１とを繋ぐチューブ２１４が設けられている。このチューブ２１４の一端は、スピーカユニット５０ａの第２空間４１に対向する外装部本体３４１の部分に形成された貫通孔に挿入配置されている。また、チューブ２１４の他端は、スピーカユニット５０ｂの第１空間４０の音孔１８と繋がっている第３連通路２１３及びスピーカユニット５０ａの第１空間４０の音孔１８と繋がっている第２連通路２１２と連通している。
【００６９】
このようにスピーカユニット５０ａ（第２スピーカユニットの一例）の第２空間４１と、スピーカユニット５０ｂ（第１スピーカユニットの一例）の第１空間４０及びスピーカユニット５０ａの第１空間４０をチューブ２１４によって連通することによって、スピーカユニット５０ａの第２空間４１とスピーカユニット５０ｂの第２空間４１は第１連通路２１１によって繋がっているため、スピーカユニット５０ａの側における振動板１４を挟む空間、すなわち第１空間４０と第２空間４１の圧力差を解消することが出来、スピーカユニット５０ｂの側における振動板１４を挟む空間、すなわち第１空間４０と第２空間４１の圧力差を解消することが出来る。
【００７０】
具体的には、例えば、ユーザがイヤホンを装着し、第２空間４１の圧力が高まると、スピーカユニット５０ａの振動板１４は下方に、スピーカユニット５０ｂの振動板１４は上方向に力を受ける。しかしながら、チューブ２１４を経由して圧力が伝わり、スピーカユニット５０ａの振動板１４は上方向に、スピーカユニット５０ｂの振動板１４は下方向に力を受ける。このようにそれぞれの振動板１４の上下にかかる力は相殺されるため、装着時にスピーカユニット内部の圧力が増大しても２つの振動板１４は初期位置から動かない。また、このようにスピーカユニット５０を図１０のように組み合わせることで、スピーカユニット５０が二つであってもポート３５０とスピーカ２１０の背面（下側）を繋ぐ管（チューブ２１４）は一つで良くなる。
（実施の形態２）
次に、本発明の実施の形態２について説明する。上述の実施の形態１と重複する個所についてはその説明を省略する。上記実施の形態１では、第１空間４０と第２空間４１を連通するためにベント部としてチューブを用いた構成を説明したが、本実施の形態では、チューブの代わりに溝などを用いて第１空間４０と第２空間４１を連通する。
【００７１】
図１１は、本実施の形態２のスピーカ２２０を示す断面構成図である。
図１１に示すスピーカ２２０では、図１で説明したスピーカ２と比較して、チューブ２３が配置される貫通孔２０ｂが設けられておらず、代わりにヨーク１６に溝２２１が形成されている。
溝２２１は、配置部２０のマグネット１０が配置されている側の面２０ｄに形成されている。溝２２１は、外周空間４５に対向する部分から貫通孔２０ａまで形成されている。このように溝２２１を形成することによって、外周空間４５と音孔空間４３が溝２２１によって連通される。外周空間４５は第２空間４１の一部であり、音孔空間４３は第１空間４０の一部であるため、溝２２１によって第１空間４０と第２空間４１が連通することになる。
【００７２】
これによって、振動板１４を挟んで配置される２つの空間（第１空間４０と第２空間４１）の圧力差が生じることを抑制することが出来る。
（実施の形態２の変形例）
（Ａ）
上記実施の形態２では、ヨーク１６の配置部２０に溝２２１を形成していたが、配置部２０の代わりにポート３に溝を形成してもよい。
【００７３】
図１２は、イヤホン１０６の構成を示す断面図である。図１２に示すイヤホン１０６では、ポート３に溝３２１が形成されている。この溝３２１は、フランジ部３１の配置部２０と当接する面３１ａに形成されている。また、図１と同様に、配置部２０には貫通孔２０ｂが形成されており、ポート３がスピーカ２に取り付けられた状態において、溝３２１は、貫通孔２０ｂから伝達路３２まで形成されている。
【００７４】
このように溝３２１を形成することにより、伝達路３２と外周空間４５が溝３２１及び貫通孔２０ｂを介して連通する。このため、振動板１４を挟んで配置された第１空間４０と第２空間４１の間に圧力差が生じることを抑制できる。
（Ｂ）
図１２に示すイヤホン１０６では、ポート３に溝３２１を形成したが、ポート３に限らず、図１３のイヤホン１０７に示されるように、ゴムシートのような介在物３６０をヨーク１６の配置部２０と接続し、介在物３６０に溝３６１を形成してもよい。この介在物３６０を介してポートなどが接続されても良い。この介在物３６０の中央には、音孔１８と接続される貫通孔３６０ａが形成されている。溝３６１は、介在物３６０が配置部２０に取り付けられた状態において、貫通孔２０ｂから貫通孔３６０ａまで形成されている。
【００７５】
（Ｃ）
上記実施の形態２においてヨーク１６に形成した溝２２１に磁性流体を充填してもよい。図１４は、溝２２１に磁性流体２３１が充填されたスピーカ２３０の構成を示す断面図である。図１５は、溝２２１が形成される部分の磁束密度分布を示す図である。図１５では、溝２２１が形成される部分が点線で示されている。また磁束密度が高い方が色が濃くなっており、最も高い部分が矢印Ｄで示され、最も低い部分が矢印Ｅで示されている。
【００７６】
図１４に示すスピーカ２３０は磁性流体２３１が溝２２１に充填された状態では、下側空間４４を含む第２空間４１は密閉された状態となる。この状態で第２空間４１の圧力が上昇すると、磁性流体２３１は音孔１８に押し出され、第２空間４１の一部である外周空間４５と、第１空間４０の一部である音孔空間４３が連通される。
連通することによって第１空間４０と第２空間４１の圧力差が解消されると、押し出された磁性流体２３１は、毛細管現象と磁束により少しずつ溝２２１へと戻り、第１空間４０と第２空間４１の連通が再び妨げられる。ここで磁性流体２３１が磁束によって溝２２１に戻るとは、図１５に示すように、マグネット１０の上部の外周の磁束密度が高くなっており、磁束密度が高い方に磁性流体２３１が移動することによるものである。
【００７７】
（Ｄ）
本実施の形態２のようにヨーク１６に溝を形成する代わりに、マグネットの間に挟んだ溝形成部に溝を形成するようにしても良い。
図１６は溝形成部２４１が設けられたスピーカ２４０の構成を示す断面図である。図１６に示すスピーカ２４０は、図１３に示すスピーカ２２０と比較して、ヨーク１６の配置部２０に溝２２１が形成されていない。また、図１６に示すスピーカ２４０は、図１３に示すマグネット１０に代わり２つの円環形状のマグネット部２４２、２４３（第１マグネット部、第２マグネット部の一例）を備えている。マグネット部２４２とマグネット部２４３の間に溝形成部２４１が設けられている。図１７（ａ）は溝形成部２４１の平面図であり、図１７（ｂ）はマグネット部２４２、溝形成部２４１及びマグネット部２４３の積層状態を示す正面図である。
【００７８】
溝形成部２４１は鉄などの磁性体によって形成されており、図１７（ａ）、（ｂ）に示すように円環形状に形成されている。この円環形状の中央の貫通孔２４１ａが、音孔空間４３の一部を構成している。溝形成部２４１の一方の表面２４１ｂには、溝２４４が形成されている。溝２４４は、貫通孔２４１ａから外周まで円環形状の半径方向に沿って形成されている。この溝２４４によって、第１空間４０の一部である音孔空間４３と、第２空間４１の一部である外周空間４５が連通するため、第１空間４０と第２空間４１の間に圧力差が生じることを抑制できる。
【００７９】
一般にマグネットは割れやすいため細かな加工が困難であるが、このように構成することにより、マグネットを加工することなく、振動板１４を挟んで配置された空間を繋ぐ溝２４４を形成することが可能となる。
（Ｅ）
また、ヨーク１６に溝を形成する代わりに、図１８に示されるように、ポート側面に溝を設ける構成としてもよい。図１８は、このような構成のイヤホン１０８の構成を示す断面図である。図１８に示すように、イヤホン１０８は、スピーカ２と、ポート３と、イヤーチップ４００を備えている。図１９は、図１８のＤＤ間の断面図である。図１９に示すように、ポート３には、ポート３の外側面３ａに筒状部３０の長手方向に沿って溝３７１が形成されている。
【００８０】
この溝３７１は、フランジ部３１にも形成されている。イヤーチップ４００は、ポート３４０に装着するための円筒形状の装着部４０１と、装着部４０１の先端から傘状に形成された傘状部４０２を有している。この装着部４０１がポート３の筒状部３０の外側に装着されることによって、ポート３にイヤーチップ４００が取り付けられる。このように、ポート３にイヤーチップ４００の装着部４０１を装着すると、溝３７１が装着部４０１によって覆われ、溝３７１は細管（流通路の一例）として機能する。第２空間４１の一部である外周空間４５は、配置部２０の貫通孔２０ｂ及び溝３４１を介して、第１空間４０と連通している伝達路３２と連通する（図中矢印Ａ参照）。これにより、第１空間４０と第２空間４１の間に圧力差が生じることを抑制できる。
【００８１】
また、長い細管の穴空け加工は一般的に困難であるが、このように構成することにより、本例では長い穴空け加工をすることなく、長い細管を実現することができる。
（実施の形態３）
次に、本発明にかかる実施の形態３について説明する。上述の実施の形態２と重複する個所についてはその説明を省略する。上記実施の形態２では、第１空間４０と第２空間４１を連通するために溝を用いた構成を説明したが、本実施の形態では、溝の代わりに貫通孔などを用いて第１空間４０と第２空間４１を連通する。
【００８２】
図２０は、本発明に係る実施の形態３におけるスピーカ２５０の構成を示す断面図である。図２０に示すスピーカ２５０では、実施の形態２の図１１に示すスピーカ２２０と比較して、溝２２１が設けられておらず、溝２２１の代わりにマグネット１０に貫通孔２５１が設けられている。この貫通孔２５１は、マグネット１０の半径方向に沿って形成されており、貫通孔１０ａからマグネット１０の外側面１０ｃまで形成されている。
【００８３】
この貫通孔２５１によって第２空間４１の一部である外周空間４５と、第１空間４０の一部である音孔空間４３が連通するため、振動板１４を挟むように位置する第１空間４０と第２空間４１の間に圧力差が生じることを抑制できる。
（実施の形態３の変形例）
（Ａ）
上記実施の形態３のような円形のスピーカに限らず、矩形状のスピーカに対しても本発明を適用しても良い。図２１（ａ）は、矩形状のスピーカ２８０を有するイヤホン１０９の平面図である。図２１（ｂ）は、イヤホン１０９の構成を示す正断面図である。
【００８４】
図２１（ａ）、（ｂ）に示すように、イヤホン１０９は、スピーカ２８０と、ポート３とを備える。スピーカ２８０は、外形が異なるだけで基本的な構成は上記実施の形態１〜３で述べたスピーカと同様であり、ヨーク５０１、マグネット５０２、プレート５０３、ボイスコイル５０４、振動板５０５、磁性流体５０６及びサスペンション５０７を有している。ポート３はヨーク５０１の側壁部５１３に配置されている。スピーカ２８０のポート３以外の部分は、外装５０８によって覆われている。この外装５０８の内側であって、スピーカ２５０の下側に、連通路５１１が形成されている。この連通路５１１は、ヨーク５０１、マグネット５０２及びプレート５０３を貫通して形成された音孔５１２と、ポート３の伝達路３２を連通する。
【００８５】
更に、振動板５０５の下側の空間である第１空間５０９と、振動板５０５の上側の空間である第２空間５１０を連通するための管５２０（本発明の接続路の一例）が設けられている。この管５２０は、ヨーク５０１の側壁部５１３を貫いて配置されており、第２空間５１０と伝達路３２を連通している。詳細には、管５２０は、側壁部５１３の第２空間５１０に対向する部分に配置されている。また、伝達路３２は、連通路５１１を介して第１空間５０９の一部である音孔５１２と連通しているため、第１空間５０９と第２空間５１０は連通することになる。これにより、振動板１４を挟むように位置する第１空間５０９と第２空間５１０の間に圧力差が生じることを抑制できる。
【００８６】
また、このように構成することにより、細長い形状を保ったまま、振動板上下の空間を連通することができる。
尚、図２１のスピーカ２８０は、第２空間５１０にも音孔５２１が形成されている開放型であるが、音孔５２１を閉じた密閉型であってもよい。また、本実施の形態では管５２０によって接続しているが、側壁部５１３に形成された流通路であってもよく、要するに第１空間５１０と第２空間５２０が接続できさえすればよい。
（実施の形態４）
次に、本発明の実施の形態４について説明する。上述の実施の形態３と重複する個所についてはその説明を省略する。上記実施の形態３では、第１空間４０と第２空間４１を連通するためにベント部として貫通孔等を用いた構成を説明したが、本実施の形態では、貫通孔の代わりに制動布などを用いて第１空間４０と第２空間４１を連通する。
【００８７】
図２２は、本発明にかかる実施の形態４におけるスピーカ２５０の構成を示す断面図である。本実施の形態４のスピーカ２５０では、図２０で説明したスピーカ２５０と比較すると、マグネット１０に貫通孔２５１が形成されておらず、マグネット１０とヨーク１６の配置部２０の間に制動布２６１（本発明の多孔性シートの一例）が設けられている。この制動布２６１は円環状に形成されており、中央に空洞を有し、その空洞が音孔空間４３の一部を構成している。
【００８８】
この制動布２６１は、適切な音響インピーダンスとなる種類が選択されている。すなわち、振動板１４が発生する音によって所定以上の音圧が制動布２６１にかかると、制動布２６１は空気を外周空間４５から音孔空間４３へと送ることが出来るが、振動板１４によって発生する音による音圧が、所定よりも小さい場合、外周空間４５と音孔空間４３の間を空気が流通することが出来ない。
【００８９】
このように、適切な音響インピーダンスとなる制動布２６１を選択することによって、細い溝等や貫通孔を形成することなく振動板１４を挟んで配置されている第１空間４０と第２空間４１を繋ぐことが可能となる。
（実施の形態４の変形例）
（Ａ）
上記実施の形態４のスピーカ２６０では、適切な音響インピーダンスとなる制動布２６１が用いられていたが制動布２６１を用いず、図２３のスピーカ２７０に示されるように、適切な音響インピーダンスに設計された振動板２７１を有する構成としてもよい。
【００９０】
このように構成することにより、特別な溝等を設けることなく、振動板上下の空間を連通することが可能となる。
（実施の形態５）
次に、本発明にかかる実施の形態５について説明する。
本実施の形態５の構成は、実施の形態１〜４で述べた磁性流体１５を用いたスピーカに適用可能である。
【００９１】
図２４は、実施の形態１で説明したスピーカ２の磁性流体１５近傍を示す断面構成図である。図２４に示すように、ボイスコイルは、線材１３１が巻き回されて形成されている。
本実施の形態５では、磁性流体１５の塗布位置の近傍部分に撥油剤が塗布されている。
具体的には、塗布された磁性流体１５が振動板１４に同期して振動するボイスコイル１３によって、各ボイスコイル１３の線材１３１の隙間やプレート１２等の磁性部品の切削面を伝って磁性流体が拡散する部分に、撥油剤を塗布する構成とする。
【００９２】
撥油剤を塗布する箇所について言い換えると、磁性流体１５の塗布位置の近傍部分であり、プレート１２、振動板１４、又はボイスコイル１３に対して撥油剤の塗布を行なう。
図２３で説明すると、ボイスコイル１３の内側であって、磁性流体１５の上側から振動板１４までの部分Ｓ１と、ボイスコイル１３の内側であって磁性流体１５の下側の部分Ｓ２、プレート１２の磁性流体１５側の端の上下部分Ｓ３、Ｓ４と、線材１３１の隙間Ｓ５（Ｐ部拡大図参照）に撥油剤が塗布される。
【００９３】
ここで、撥油剤を使用しない場合、塗布された磁性流体１５は、振動板１５４に同期して振動するボイスコイル１３によって、ボイスコイル１３の線材１３１の隙間やプレートなどの磁性部品の切削面を伝って拡散し、環状ギャップ内の磁性流体の量が減少する可能性がある。磁性流体が減少した場合、磁性流体の効果である、ボイスコイル１３の振動、センタリング、伝熱、高調波歪みの低減などが発揮されないことがある。
【００９４】
しかしながら、本実施の形態のようにＳ１〜Ｓ５の部分に撥油剤を塗布することにより、その撥油剤の表面張力により磁束密度が最大となる最初に塗布されたギャップの位置に移動しやすくなり、その結果として磁性流体の減少を防ぐことができる。
このように、本実施の形態のように構成することにより、磁性流体の拡散を防止することができ、環状ギャップ内の磁性流体の振動板等への付着を抑え、磁性流体の量の減少に伴う音響特性の劣化を抑えることができる。
【００９５】
尚、必ずしもＳ１〜Ｓ５のすべての部分に撥油剤を塗布する方が好ましいが、一部にだけ塗布しても良い。
（実施の形態６）
本発明にかかる実施の形態６の補聴装置について説明する。図２５は、本実施の形態６の補聴装置６００の外観を示す図である。
【００９６】
図２５に示すように、本実施の形態６の補聴装置６００は、イヤホン６０１と、補聴装置６００が耳に装着された状態で使用者とは反対向けに配置され、外部の音声を受信するマイク６０２を有している。このイヤホン６０１に、上記実施の形態１〜５において説明したスピーカ２、２１０、２２０、２３０、２４０、２５０、２６０、２７０、２８０又はイヤホン１、１００〜１０９等が適用される。
【産業上の利用可能性】
【００９７】
本発明のスピーカ及びイヤホンは、振動板の両面にかかる圧力に差が生じることを抑制可能な効果を有し、小型のイヤホンや、ハウリングが抑制された補聴装置などとして有用である。
【符号の説明】
【００９８】
１、１００、１０１、１０２、１０３、１０４、１０５、１０６、１０７、１０８、１０９  イヤホン
２、２００  スピーカ
３  ポート
１０  マグネット
１１、２２２  筐体
１２  プレート
１３  ボイスコイル
１４、１５４  振動板
１５  磁性流体
１６  ヨーク
１７、２０２  ヨークカバー
１８  音孔
１９  磁気空隙
２０  配置部
２１  側壁部
２２、２０１  サスペンション
２３  チューブ
３０  筒状部
３１  フランジ部
３２  伝達路
３３  開口部
３４  開口部
４０  第１空間
４１  第２空間
４２  上側空間
４３  音孔空間
４４  下側空間
４５  外周空間
５０ａ、５０ｂ  スピーカユニット
【図１】
2015109542.tif 000003
【図２】
2015109542.tif 000004
【図３】
2015109542.tif 000005
【図４】
2015109542.tif 000006
【図５】
2015109542.tif 000007
【図６】
2015109542.tif 000008
【図７】
2015109542.tif 000009
【図８】
2015109542.tif 000010
【図９】
2015109542.tif 000011
【図１０】
2015109542.tif 000012
【図１１】
2015109542.tif 000013
【図１２】
2015109542.tif 000014
【図１３】
2015109542.tif 000015
【図１４】
2015109542.tif 000016
【図１５】
2015109542.tif 000017
【図１６】
2015109542.tif 000018
【図１７】
2015109542.tif 000019
【図１８】
2015109542.tif 000020
【図１９】
2015109542.tif 000021
【図２０】
2015109542.tif 000022
【図２１】
2015109542.tif 000023
【図２２】
2015109542.tif 000024
【図２３】
2015109542.tif 000025
【図２４】
2015109542.tif 000026
【図２５】
2015109542.tif 000027